(57)【特許請求の範囲】
【請求項１】
１本の鋼線が環を形成するように曲げられるとともに、前記鋼線の一部分が前記環をほぼ水平方向に横断して該環を上下に二分することにより上方環状部と下方環状部とがさらに形成され、前記下方環状部を形成している前記鋼線の一端部が前記鋼線の弾性変形下に前記上方環状部に対して離脱可能に係合するフック部を形成しているスナップにおいて、
前記鋼線はＳ字形を画くように曲げられて、上方湾曲部と、下方湾曲部と、これら両部間に延びる中間部とを形成し、前記中間部がほぼ水平方向へ延びており、前記Ｓ字形の上方湾曲部から下方に向かう前記鋼線の前記一端部に対する反対端部が前記中間部よりも下方にまで延びてから前記下方湾曲部の鋼線に背後から接するように水平に折曲された後、前記下方湾曲部の鋼線に巻き付くように折り返されて前記上方湾曲部と中間部とで前記上方環状部が形成され、前記下方湾曲部から上方に延びる前記鋼線の前記一端部が、前記スナップの外方に向かってほぼ水平に折曲されてフック部が形成され、前記上方湾曲部と中間部とがつながる部位に形成された折曲部に対して、前記フック部が前記上方環状部の内側から離脱可能に係合することにより、前記下方湾曲部と中間部とで前記下方環状部が形成されていることを特徴とする前記スナップ。
【発明の詳細な説明】
【０００１】
【発明の属する技術分野】
本発明は、釣糸にルアーを取り付ける場合などに使用するのに好適なスナップに関する。
【０００２】
【従来の技術】
この種のスナップを利用して釣糸にルアーを取り付けることは、周知である。
例えば、図２、図３は、この種スナップの一例であるスナップ３０の斜視図と、スナップ３０を用いて釣糸３８にルアー３９を取り付けた状態を示すルアー３９の正面図である。
【０００３】
スナップ３０は、図２に示すように、ばね特性を有する１本の鋼線１００を略同一平面上で上方と下方とに曲げることによって形成された上方環状部３１と下方環状部３２とを有する。この鋼線の一端部５１は、横向き形に折り曲げられて上方環状部３１と下方環状部３２との間で上下に延びる直線部３３に対して巻回部３４で固定されており、この巻回部３４から水平に延びる中間部３５は、スナップ３０を上方環状部３１と下方環状部３２とに区分している。中間部３５は、折曲部３６で上方に向かって折り曲げられている。折曲部３６から上方に延びる鋼線１００は、上方環状部３１に連なっている。また、直線部３３から下方へ延びた鋼線１００は、下方環状部３２を経て上方へ延び、端部５２が折り曲げられてフック部３７を形成している。フック部３７は、折曲部３６にスナップ３０の内側から外側に向かってばね付勢された状態で係止されている。
【０００４】
スナップ３０は、図３に示すように、釣糸３８にルアー３９を取り付ける際等に用いられる。この際は、まずスナップ３０の例えば、上方環状部３１に釣糸３８を結び、下方環状部３２にルアー３９を取り付ける。ルアー３９を取り付けるときには、フック部３７を折曲部３６から外して下方環状部３２を開環状態にする。
【０００５】
【発明が解決しようとする課題】
ルアーフィッシングでは、スナップを介して釣糸に取り付けたルアーに小魚の泳ぎに擬したアクションを与える。このとき、スナップでは、絶えず様々な方向から作用する力によって、巻回部が直線部から外れるというトラブルがあった。また、下方環状部を開環させるためにフック部と巻回部とに指先を当てて摘むようにすると、フック部が外れる前に巻回部が外れてしまうということがあった。
【０００６】
本発明は、このようなトラブルを解消するためのスナップ３０の改良を課題にしている。
【０００７】
【課題を解決するための手段】
本発明は、１本の鋼線が環を形成するように曲げられるとともに、前記鋼線の一部分が前記環をほぼ水平方向に横断して該環を上下に二分することにより上方環状部と下方環状部とがさらに形成され、前記下方環状部を形成している前記鋼線の一端部が前記鋼線の弾性変形下に前記上方環状部に対して離脱可能に係合するフック部を形成しているスナップを前提としている。
【０００８】
かかる前提において、本発明のスナップの特徴は、前記鋼線はＳ字形を画くように曲げられて、上方湾曲部と、下方湾曲部と、これら両部間に延びる中間部とを形成し、前記中間部がほぼ水平方向へ延びており、前記Ｓ字形の上方湾曲部から下方に向かう前記鋼線の前記一端部に対する反対端部が前記中間部よりも下方にまで延びてからほぼ水平に折曲されて前記下方湾曲部の外側にまで延びた後、前記下方湾曲部の鋼線に外側から巻き付くようにほぼ水平に折り返されて前記上方湾曲部と中間部とで前記上方環状部が形成され、前記下方湾曲部から上方に延びる前記鋼線の前記一端部が、前記スナップの外方に向かってほぼ水平に折曲されてフック部が形成され、前記上方湾曲部と中間部とがつながる部位に形成された折曲部に対して、前記フック部が前記上方環状部の内側から離脱可能に係合することにより、前記下方湾曲部と中間部とで前記下方環状部が形成されていることである。
【０００９】
【発明の実施の形態】
以下に、本発明を、図面に示す実施の形態に基づいて詳細に説明する。
【００１０】
図１は、本発明に係るスナップ１の斜視図であり、スナップ１は、図３に例示の従来のスナップ３０に代えて使用することができる。
【００１１】
スナップ１は、ばね特性を有する１本の鋼線１００を折り曲げ加工することにより形成されている。この鋼線１００の材料としては、ＪＩＳ規格のＳＵＳ３０４ＷＰＳが好ましい。このＳＵＳ３０４ＷＰＳは、１８Ｃｒ−１２Ｎｉ−０．０６Ｃの組成を有するオーステナイト系ステンレス鋼で、適度なばね性と優れた耐食性を備えている。
【００１２】
図１のスナップ１は、その上下方向を紙面の上下方向に一致させて示されている。
【００１３】
このスナップ１は、鋼線１００の両端部１０１ａ、１０１ｂ間を折り曲げ加工して上下方向に長い環状のものに形成してあるが、水平方向に延びる中間部４によって、上方で環状を呈する上方環状部２と、下方で環状を呈する下方環状部３とに二分されている。
【００１４】
上方環状部２は、例えば図３の釣糸３８を結び付ける部位であって、互いに並んで上下方向に延びる第１、第２直状部２ａ、２ｃと、これら直状部２ａ、２ｃの上部につながり上方へ向かって凸となるように曲げられている第１湾曲部２ｂとを有する。
【００１５】
第２直状部２ｃの鋼線１００は、部位６においてスナップ１の内方に向かってほぼ水平となるように折曲されて中間部４を形成した後、部位７において下方に向かって折曲され、下方環状部３へ向かって延びている。
【００１６】
第１直状部２ａの鋼線１００は、中間部４の下方にまで延びて部位１０２に至る。
【００１７】
第１直状部２ａからさらに延びる鋼線１００の端部１０１ａは、部位１０２において、中間部４の部位７から下方に向かう鋼線１００に背後から接するように水平に折曲された後、さらに部位７から下方に向かう鋼線１００に巻き付くように折り返されている。
【００１８】
下方環状部３は、例えば図３のルアー３９を取り付けることができる部位であって、互いに並んで上下方向に延びる第３、第４直状部３ａ、３ｃと、これら直状部３ａ、３ｃの下部でつながり下方へ向かって凸となるように曲げられている第２湾曲部３ｂとを有する。
【００１９】
第３直状部３ａは、鋼線１００が中間部４の部位７から下方に延びることにより形成されている。
【００２０】
第４直状部３ｃは、鋼線１００が第２湾曲部３ｂから部位９に至るまで延びることにより形成されている。
【００２１】
第４直状部３ｃからさらに延びる鋼線１００の端部１０１ｂは、部位９においてスナップ１の外方に向かってほぼ水平に折曲されてフック部８を形成している。フック部８は、上方環状部２の部位６に、図示されるように内側から離脱可能に係合して下方環状部３は閉じた状態にある。フック部８は、スナップ１の外方に向かってばね付勢された状態であり、その付勢に抗して部位６に対する係合を解くと、仮想線の状態になり、下方環状部３は、開いた状態になって、ルアー（図示せず）を着脱することができる。
【００２２】
このように形成されたスナップ１では、以下のように使用する。
【００２３】
スナップ１を使用して釣糸に取り付けられたルアー（図示せず）に小魚の泳ぎに擬したアクションを与えると、スナップ１には、絶えず様々な方向からの様々な力が掛かる。しかしながら、このスナップ１は、鋼線１００の端部１０１ａが、中間部４の部位７から下方に向かう鋼線１００に背後から接するように水平に折曲された後、さらに部位７から下方に向かう鋼線１００に巻き付くように折り返されているので、このような様々な力に対抗し、第３直状部３ａから外れることはない。例えば、もっとも頻繁に現れるケースとして、スナップ１に釣糸とルアーとにより上下方向に互いに引っ張り合う力が加わっても、鋼線１００の端部１０１ａは、中間部４の下方の第３直状部３ａに巻き付けられているので、巻き付けによる固定力と相俟って中間部４の鋼線１００が前記引っ張り合う力に対抗し、また、幅方向に変形しようとする圧縮力に対しては、第３直状部３ａの鋼線１００が対抗して、端部１０１ａが、第３直状部３ａから外れることはない。
【００２４】
本実施の形態のスナップは、フィッシング用のものとして説明されているが、本発明は、その他の用途のスナップとして実施することができる。
【００２５】
【発明の効果】
本発明のスナップは、一本の鋼線が、上方湾曲部と、下方湾曲部と、これら両部間に延びる中間部とを形成しており、前記上方湾曲部の鋼線の一端部が、水平方向へ延びた中間部の下方にまで延びてから前記下方湾曲部の鋼線に背後から接するように水平に折曲された後、前記下方湾曲部の鋼線に巻き付くように折り返されて前記上方湾曲部と中間部とで上方環状部を形成しているので、スナップに加わる上下方向の引っ張り力に対しては、中間部の鋼線が対抗し、幅方向に変形しようとする圧縮力に対しては、下方湾曲部の鋼線が対抗して、巻き付けられた鋼線の一端部が、下方湾曲部から外れることがない。
【図面の簡単な説明】
【図１】本実施の形態のフィッシング用スナップ１を示す斜視図。
【図２】従来のスナップの斜視図。
【図３】従来のスナップの使用状態の正面図。
【符号の説明】
１      スナップ
２      上方環状部
２ａ    第１直状部
２ｂ    上方湾曲部
２ｃ    第２直状部
３      下方環状部
３ａ    第３直状部
３ｂ    下方湾曲部
３ｃ    第４直状部
４      中間部
６      折曲部
８      フック部
１０１ａ  端部（反対端部）
１０１ｂ  端部（一端部）
【図１】
0003773811.tif 000002
【図２】
0003773811.tif 000003
【図３】
0003773811.tif 000004